(57)【特許請求の範囲】
【請求項１】
光を透過させることによって発光する表示部材と、
前記光を出射する発光体と、
前記表示部材との間に前記発光体を配置するように設けられ、前記発光体から出射された前記光を前記発光体方向に向けて反射させる反射面を有する正面板と、
前記発光体を実装して前記発光体と前記表示部材に挟まれて設けられ、前記正面板によって反射された前記光のうちオレンジ色の光を透過光として前記表示部材へ出射する、ポリイミド製でオレンジ色の電気基板と、
前記表示部材に設けられ、前記電気基板から出射されるオレンジ色の前記透過光の色を変化させて透過する、前記透過光の色の補色を着色した補色フィルタと、
を備えることを特徴とする表示パネル。
【請求項２】
前記発光体が出射する前記光は白色光であることを特徴とする請求項１に記載の表示パネル。
【請求項３】
光を透過させることによって発光する表示部材を有する表示パネルと、
前記光を出射する発光体と、
前記表示部材との間に前記発光体を配置するように設けられ、前記発光体から出射され
た前記光を前記発光体方向に向けて反射させる反射面を有する正面板と、
前記発光体を実装して前記発光体と前記表示部材に挟まれて設けられ、前記正面板によって反射された前記光のうちオレンジ色の光を透過光として前記表示部材へ出射する、ポリイミド製でオレンジ色の電気基板と、
前記表示部材に設けられ、前記電気基板から出射されるオレンジ色の前記透過光の色を変化させて透過する、前記透過光の色の補色を着色した補色フィルタと、
を備えることを特徴とする電気機器。
【発明の詳細な説明】
【技術分野】
【０００１】
本発明は、装置の動作状態等を発光体からの光によって発光して告知する表示パネルと、この表示パネルを設けた電気機器に関する。
【背景技術】
【０００２】
一般に、電気機器を構成する筐体の正面板には表示パネルが設けられている。表示パネルは、ユーザーが機器の動作状態を容易に認識可能にするため例えば赤色、緑色等に光る発光部位を有している。【０００３】
日本国特開平１０−１６０５２１号公報には、計器本体に影響されることなく均一で明るい透過照明を得ることができ、また、昼間時と夜間時とでは全く異なった色彩的かつ意匠的変化を持たせた表示板を備えた、計器用表示装置が開示されている。【０００４】
また、日本国特開２００５−３３９１号公報には、導光体の体格を拡大することなしに目盛盤の発光輝度を高めることのできる車両用表示装置が開示されている。【０００５】
さらに、日本国特開平７−２８２６７７号公報には、光ムラが小さく広範囲に亘って照光される薄型操作パネルを有する照光式パネルスイッチが開示されている。【０００６】
また、日本国特開２０１０−６７５５１号公報には、構成部品点数を削減することで、薄型化及び軽量化を図ることを可能とし、更には構成部品の組立工数を削減し、構成部品の組立を容易に行うことができるとともに、構成部品のコスト及び組立コストを低減することを可能にしたバックライト装置が開示されている。【０００７】
医療分野等で使用される内視鏡は、外部装置である電気機器として、光源装置、ビデオプロセッサ等を備えている。これら装置を構成する筐体の正面板にも表示パネルが設けられている。【０００８】
内視鏡室等、暗い空間で使用される電気機器の表示パネルにおいては、ユーザーが瞬時に動作状態を認識可能にするため、表示部を赤色、黄緑色等、多種多様の色で光らせるように動作内容と表示パネルの表示色との関係が規格で定められている。【０００９】
暗い空間で使用される電気機器の表示パネルにおいては、パネル表面（パネル前面とも記載する）をフラットに構成した場合、パネル前面に正面から強い光が当たることによって表示パネル表面の全面が光輝くことがある。すると、パネルの表示文字、数字等の認識及び動作状態の確認が困難になるおそれがあった。【００１０】
このため、暗い空間で使用される電気機器においては、例えば電装部の表示基板の表面側を半径１０００ｍｍ等の凸曲面に形成し、その凸曲面にパネルを貼付して表示パネルを構成する。この構成の表示パネルによれば、パネル前面に正面から強い光が当たったとき、表示パネル表面の一部にハイライトラインが浮かび上がるが、表示パネル表面の全面が光輝くことによる視認不能が解消される。  
しかしながら、電装部の表示基板を有する表示パネルを正面板に接着する場合、該基板に予め定めた形状の透光領域を形成すること等によって基板を硬質にすることによって全面を接着面にすることができず、接着面積が不足するおそれがある。【００１１】
また、基板を撓みにくい基材で作成した場合、表面側に半径１０００ｍｍ等の凸曲面が形成されている場合、全面を接着面にすることができず、接着面積が不足するおそれがある。【００１２】
また、電気機器は、航空機等による輸送の際、高温高湿下の環境、温度が大きく変化する環境、或いは、湿度が大きく変化する環境に晒される。すると、表示パネルを正面板に接着する接着剤の接着力が一気に低下する可能性がある。【００１３】
このため、表示パネルを薄く形成して、該表示パネルが正面板から剥がれようとする力を抑えられるようにするための様々な工夫が施されている。しかし、その結果、コストの上昇を招き、作業工数も増大し、動作状態の確認をし難い表示パネルとならざるを得ない可能性があった。【００１４】
本発明は上記事情に鑑みてなされたものであり、視認性に優れた安価な表示パネルと、このような表示パネルを正面板に設けた電気機器と、を提供することを目的にしている。
【発明の開示】
【課題を解決するための手段】
【００１５】
本発明の一態様の表示パネルは、光を透過させることによって発光する表示部材と、前記光を出射する発光体と、前記表示部材との間に前記発光体を配置するように設けられ、前記発光体から出射された前記光を前記発光体方向に向けて反射させる反射面を有する正面板と、前記発光体を実装して前記発光体と前記表示部材に挟まれて設けられ、前記正面板によって反射された前記光のうちオレンジ色の光を透過光として前記表示部材へ出射する、ポリイミド製でオレンジ色の電気基板と、前記表示部材に設けられ、前記電気基板から出射されるオレンジ色の前記透過光の色を変化させて透過する、前記透過光の色の補色を着色した補色フィルタと、を備える。
【００１６】
本発明の一態様の電気機器は、光を透過させることによって発光する表示部材を有する表示パネルと、前記光を出射する発光体と、前記表示部材との間に前記発光体を配置するように設けられ、前記発光体から出射された前記光を前記発光体方向に向けて反射させる反射面を有する正面板と、前記発光体を実装して前記発光体と前記表示部材に挟まれて設けられ、前記正面板によって反射された前記光のうちオレンジ色の光を透過光として前記表示部材へ出射する、ポリイミド製でオレンジ色の電気基板と、前記表示部材に設けられ、前記電気基板から出射されるオレンジ色の前記透過光の色を変化させて透過する、前記透過光の色の補色を着色した補色フィルタと、を備える。
【図面の簡単な説明】
【００１７】
【図１】内視鏡と電気機器であるカメラコントロールユニットとを備える内視鏡装置を説明する図
【図２】カメラコントロールユニットを説明する図
【図３】貼付面を設けた筐体を構成する正面板及びフレキシブル基板と印刷シートとで構成される表示パネルを説明する図
【図４】フレキシブル基板の第１の平面側の構成を説明する図
【図５Ａ】照明板とフレキシブル基板との関係を説明する図
【図５Ｂ】フレキシブル基板の第１の面が貼付面に貼付された状態を示す図
【図５Ｃ】図５Ｂに示す矢印Ｙ５Ｃ側からフレキシブル基板越しにＬＥＤ照明３６を見た図
【図６】印刷シートの一平面側の構成を説明する図
【図７】図６の矢印Ｙ７−Ｙ７線断面図
【図８】光透過部位の一平面を着色する際に用いるマンセル・カラー・システムを示す図
【図９】表示パネルを正面板の貼付面に貼り付けた状態、および、フレキシブル基板に実装されたＬＥＤ照明と印刷シートの発光部位との関係を説明する図
【図１０】発光部位を正面から見たときの図
【発明を実施するための最良の形態】
【００１８】
以下、図面を参照して本発明の実施の形態を説明する。【００１９】
なお、以下の説明に用いる各図において、各構成要素を図面上で認識可能な程度の大きさとするため、構成要素毎に縮尺を異ならせてあるものもある。本発明は、これらの図に記載された構成要素の数量、構成要素の形状、構成要素の大きさの比率、及び各構成要素の相対的な位置関係のみに限定されるものではない。【００２０】
図１に示すように内視鏡装置１は、内視鏡２と、例えばカメラコントロールユニット（以下、ＣＣＵと記載する）３と、モニタ４と、を有して構成されている。ＣＣＵ３およびモニタ４は、内視鏡外部装置であって、電気機器である。【００２１】
本実施形態のＣＣＵ３は、内視鏡２が備える撮像素子の各種信号処理等を行うビデオプロセッサである。なお、ＣＣＵ３内には送気管路（不図示）に空気等を供給する送気ポンプ（不図示）が設けられている。また、ＣＣＵ３内に照明用ランプ（不図示）が設けられていてもよい。符号３０は、表示パネルである。【００２２】
内視鏡２は、挿入部５と、操作部６と、ユニバーサルケーブル７と、を有している。挿入部５は、観察対象部位へ挿入される細長な長尺部材である。
挿入部５は、先端部５ａと、湾曲部５ｂと、可撓管部５ｃと、を連設して構成されている。先端部５ａは、硬質な部材で構成されている。湾曲部５ｂは、例えば上下左右の四方向に湾曲自在に構成されている。可撓管部５ｃは、長尺で可撓性を有する管状部材である。【００２３】
操作部６には、湾曲操作部８、各種スイッチ９、送気送水ボタン１０、吸引ボタン１１などが設けられている。  
湾曲操作部８は、上下ノブ８ａと、左右ノブ８ｂと、を備えている。上下ノブ８ａは、湾曲部５ｂを上下方向に湾曲させる際に操作される。と、左右ノブ８ｂは、湾曲部５ｂを左右方向に湾曲させる際に操作される。のスイッチ９は、例えば、レリーズスイッチ、フリーズスイッチ、及び、通常観察と蛍光観察との切り替えを行うための観察モード切替スイッチ等である。なお、符号１２は、処置具挿入口である。【００２４】
ユニバーサルケーブル７は、操作部６の側面より延出されている。ユニバーサルケーブル７の端部には内視鏡コネクタ１３が設けられている。内視鏡コネクタ１３の一側部からは、撮像ケーブル１５が延出されている。撮像ケーブル１５の端部には撮像用コネクタ１４が設けられている。  
なお、内視鏡コネクタ１３と撮像用コネクタ１４とが一体になったコネクタを用い、ユニバーサルケーブルに撮像ケーブルを内蔵する構成であってもよい。【００２５】
図１、図２に示すようにＣＣＵ３を構成する筐体２１は、六面体で内部空間を有する箱構造である。図２に示すように筐体２１は、正面板２２、図示されていない背面板、天面側面一体板２３、及び図示されていない底板を備えて構成されている。  
正面板２２は、剛性を有する絶縁部材であって、例えば樹脂製である。  
本実施形態において、正面板２２の一面にはコネクタ接続開口２４、電源スイッチ２５、及び表示パネル３０が設けられている。【００２６】
コネクタ接続開口２４は、内視鏡コネクタ接続口２４ａと、撮像コネクタ接続口２４ｂと、を有して構成されている。内視鏡コネクタ接続口２４ａには内視鏡コネクタ１３が接続され、撮像コネクタ接続口２４ｂには撮像用コネクタ１４が接続される。電源スイッチ２５は、正面板２２の予め定めた位置に設けられている。【００２７】
他の形態として、内視鏡コネクタ接続口２４ａと撮像コネクタ接続口２４ｂとが一体になった接続口に、内視鏡コネクタ１３と撮像用コネクタ１４とが一体になったコネクタを接続する構成であってもよい。
符号２６は、取手である。取手２６は、設置状態におけるＣＣＵ３の正面板２２を正面視した状態で、天面側面一体板２３の右側面部２３Ｒに固設されている。
【００２８】
図３に示すように正面板２２には表示パネル３０を貼付するための貼り付け面（以下、貼付面と記載する）２７が設けられている。貼付面２７は、例えば、半径１０００ｍｍの凸曲面である。  
表示パネル３０は、電気基板であるフレキシブルプリント基板（以下、フレキシブル基板と略記する）３１と、表示部材である印刷シート３２と、によって構成されている。【００２９】
図３−図５Ｃ参照してフレキシブル基板３１を説明する。  
図３、図４に示すフレキシブル基板３１は、厚み寸法が例えば０．３ｍｍのポリイミド製で、可撓性を有し、自然色がオレンジ色の透明弾性基板である。フレキシブル基板３１は、端子部、半田付け部以外は、絶縁性を有するポリイミド膜を被せて保護されている。【００３０】
図５Ａ−図５Ｃに示すように本実施形態のフレキシブル基板３１において、例えば銅製の配線３１ｌは、ポリイミド膜３１ｐによって保護され、端子部だけが露出して構成されている。  
なお、フレキシブル基板３１の第１の面３１ａの一部或いは第２の面３１ｂの一部にベタグランド（不図示）を設けるようにしてもよい。また、フレキシブル基板３１の厚み寸法を０．３ｍｍとしているが、厚み寸法をそれ以下に設定するようにしてもよい。【００３１】
図４に示すようにフレキシブル基板３１は、第１の面３１ａにＬＥＤ用電気接点（図５Ａ−５Ｃの符号３１ｃ参照）、複数の基板用両面テープ貼付領域３３、及び接続用延出基板３５を備えている。複数の基板用両面テープ貼付領域３３は、図４中において二点鎖線で囲むと共に斜線を施した部分である。ＬＥＤ用電気接点３１ｃは、端子部である。第１の面３１ａは、貼付面２７に対向して配置される。  
一方、図３に示すようにフレキシブル基板３１の第２の面３１ｂには複数の基板側エンボス部３７が設けられている。第２の面３１ｂは、第１の面３１ａの反対面である
図４に示す接続用延出基板３５は、フレキシブル基板３１の第１の面３１ａの予め定めた位置から延出している。接続用延出基板３５の端部には端子部３５ｃが設けられている。端子部３５ｃは、筐体２１内に設けられる制御部を構成するメイン基板（不図示）に実装されたコネクタ（不図示）に接続される。【００３２】
基板用両面テープ貼付領域３３には、予め定めた粘着力を有する糊面を備えた両面テープが貼付される。両面テープは、該貼付領域３３の予め定めた場所に貼り付けられる。【００３３】
複数のＬＥＤ用電気接点３１ｃには、発光体である発光ダイオード（以下、ＬＥＤと記載する）照明３６が実装されている。つまり、フレキシブル基板３１の第１の面３１ａには貼付面２７に対向して複数のＬＥＤ照明３６が実装されている。  
そして、図３に示すように貼付面２７には複数のＬＥＤ照明３６にそれぞれ対応する複数の凹部２８が設けられている。【００３４】
図５Ａは照明板２２とフレキシブル基板３１との関係を説明する図であって、凹部２８の開口２８ｍは、ＬＥＤ照明３６の外径寸法より予め定めた寸法大きく設定されている。また、凹部２８の深さ寸法は、予め定めた寸法に設定されている。【００３５】
具体的に、ＬＥＤ照明３６の縦横寸法が例えば１．６ｍｍｘ０．８ｍｍに対して、凹部２８の開口２８ｍの径寸法はφ３ｍｍであり、凹部２８の深さ寸法は３ｍｍである。  
なお、凹部２８は、収容部を兼用する反射部である。凹部２８を構成する底面２８ｄ及び内周面２８ｓは、反射率の高い例えば白色の反射面として構成される。反射面は、拡散反射面で構成すると好適である。
【００３６】
図５Ｂは、フレキシブル基板３１の第１の面３１ａが貼付面２７に貼付された状態である。この状態において、ＬＥＤ照明３６は、凹部２８内に対し、凹部２８の内面に接触しないように収容される。このとき、図５Ｃは、図５Ｂに示す矢印Ｙ５Ｃ側からフレキシブル基板越しにＬＥＤ照明３６を見た図であって、ＬＥＤ照明３６の中心３６ｃと開口２８ｍの中心２８ｃとが一致するように配置されている。【００３７】
この結果、ＬＥＤ照明３６から照明光である例えば白色光が、図５Ｂの実線の矢印ＹＢ１で示すように凹部２８の底面２８ｄに向かって出射されると、白色光は、凹部２８の底面２８ｄ及び内周面２８ｃでＬＥＤ照明３６方向に向けて反射され、その後、フレキシブル基板３１に侵入する。フレキシブル基板３１に侵入した白色光は、基板内を通過中、フレキシブル基板３１の材質の自然色であるオレンジ色の影響を受けオレンジ色の透過光として破線の矢印ＹＢ２に示すように該基板３１から出射される。
【００３８】
図３、図６、図７を参照して印刷シート３２を説明する。  
図３、図６に示す印刷シート３２は、柔軟性を有する厚み寸法が例えば０．５ｍｍの透明板である。印刷シート３２は、表示部材である。印刷シート３２は、一平面３２ａと、一平面３２ａの反対面である他平面３２ｂとを有している。一平面３２ａは、フレキシブル基板３１の第２の面３１ｂに対向して配置される。【００３９】
本実施形態において、図６に示す一平面３２ａは、例えばシルク印刷面である。これに対して、図３に示す他平面３２ｂは操作面である。操作面にはシート側エンボス部３８、操作表示部３９が設けられている。  
シート側エンボス部３８は、各種スイッチを構成する。操作表示部３９は、シート側エンボス部３８近傍に設けられる。操作表示部３９には、スイッチの操作内容、スイッチ名、動作状態等が記載されている。【００４０】
図６に示す一平面３２ａは、光透過部位３２ｅ以外を不透明に構成してある。光透過部位３２ｅは、フレキシブル基板３１を透過した光によって光る発光部分となる。即ち、印刷シート３２の一平面３２ａには、非透過面である斜線に示す不透明部３２ｎ、複数の光透過部位３２ｅ、及びシート側エンボス部３８が設けられる。【００４１】
不透明部３２ｎは、予め定めた色で着色されている。不透明部３２ｎは、遮光部であり、フレキシブル基板３１を通過したオレンジ色の透過光が一平面３２ａ側から印刷シート３２内に侵入することを遮る。【００４２】
また、不透明部３２ｎには二点鎖線で示す印刷シート用両面テープ貼付領域３３Ｂが設けられている。印刷シート用両面テープ貼付領域３３Ｂには予め定めた粘着強さを有する糊面を備えた両面テープが貼付される。両面テープは、該貼付領域３３Ｂの予め定めた場所にも貼り付けられる。【００４３】
光透過部位３２ｅは、一平面に設けられた不透明部３２ｎ及びシート側エンボス部３８以外の透明部である。光透過部位３２ｅは、予め定めた形状、例えば円形に形作られている。  
光透過部位３２ｅは、自然色がオレンジ色であるフレキシブル基板３１を透過したオレンジ色の透過光が一平面３２ａ側から他平面３２ｂ側に通過することによって希望する色で発色するように構成される。【００４４】
具体的に、光透過部位３２ｅを例えば透過光であるオレンジ色で発色させたい場合、透明シートは、着色を施すことなく、透明な状態に保持される。【００４５】
これに対して、光透過部位３２ｅを例えば緑色で発色させる場合、図７に示す透明な一平面３２ａに予め定めた色を着色して光透過部位３２ｅに補色フィルタ部３２ｆを設ける。【００４６】
具体的には、光透過部位３２ｅの一平面３２ａを、例えば図８に示すマンセル・カラー・システムを参考にして、オレンジ色５ＹＲを緑色５ＧＹにする第１の補色５ＢＧで着色して補色フィルタ部３２ｆを設ける。  
なお、光透過部位３２ｅを例えば赤紫色５ＲＰで発色させる場合は、図８に示すマンセル・カラー・システムを参考にして、光透過部位３２ｅの一平面３２ａに、オレンジ色５ＹＲを赤紫色５ＲＰにする第２の補色５ＰＢを着色して補色フィルタ部３２ｆを設ける。  
なお、補色に色を加えながら補色フィルタ部３２ｆの色を微調整することによって、もう少し濃い緑色、等、感覚的な要望に対応させることが可能である。【００４７】
これらの結果、フレキシブル基板３１を通過したオレンジ色の透過光が透明な光透過部位３２ｅを通過することによって、該光透過部位３２ｅがオレンジ色に発光する。【００４８】
一方、該オレンジ色の透過光が第１の補色を施した補色フィルタ部３２ｆを設けた光透過部位３２ｅを通過することによって、該光透過部位３２ｅが緑色に発光する。【００４９】
また、該オレンジ色の透過光が第２の補色を施した補色フィルタ部３２ｆを設けた光透過部位３２ｅを通過することによって、該光透過部位３２ｅが赤紫色に発光する。【００５０】
このように、ＬＥＤ照明３６から例えば白色光を出射し、フレキシブル基板３１を透過したオレンジ色の透過光に対して光透過部位３２ｅを希望する色で発色させるため、光透過部位３２ｅ毎に希望する色に対応する補色フィルタ部３２ｆを設けている。【００５１】
この構成によれば、光透過部位３２ｅを透明にして、ＬＥＤ照明３６毎に色を設定して光透過部位３２ｅを希望する色で発色させる場合に比べて、容易に光透過部位３２ｅを希望する色で発色させることができる。【００５２】
また、ＬＥＤ照明３６が一種類であるため、色を設定した複数種類のＬＥＤを用いる場合に比べて部品点数を減少させることができるとともに作業性の向上を図ることができる。【００５３】
なお、ＬＥＤ照明３６を白色光としているが、ＬＥＤ照明は、出射される光の色を変化させることが可能なものであってもよい。【００５４】
ここで、表示パネル３０の貼付面２７への貼り付けについて説明する。  
本実施形態において、作業者は、まず、図３の矢印Ｙ３Ａに示すように印刷シート３２の一平面３２ａに予め設けられている両面テープ（不図示）をフレキシブル基板３１の第２の面３１ｂに貼り付けて表示パネル３０を構成する。【００５５】
このことによって、印刷シート３２の一平面３２ａに設けられたフィルタ部３２ｆがフレキシブル基板３１を挟んで凹部２８の開口２８ｍを塞ぐように配設される。【００５６】
この結果、光透過部位３２ｅがフレキシブル基板３１の第１の面３１ａに実装されたＬＥＤ照明３６の背面に対峙した状態になる。【００５７】
次に、作業者は、図３の矢印Ｙ３Ｂに示すように表示パネル３０のフレキシブル基板３１の第１の面３１ａに予め設けられている両面テープ（不図示）を正面板２２の貼付面２７に貼り付ける。【００５８】
この結果、図９に示すように筐体２１を構成する正面板２２の凸曲面の貼付面２７に表示パネル３０を貼付して図１に示すＣＣＵ３が構成される。  
このとき、フレキシブル基板３１の第１の面３１ａに実装されたＬＥＤ照明３６は、貼付面２７に設けられた凹部２８内に収容されて、凹部２８の底面２８ｄに対面した状態である。【００５９】
このように、可撓性を有する表示パネル３０を凸曲面で構成された貼付面２７に貼り付ける構成において、厚みを薄く設定したフレキシブル基板３１と印刷シート３２とによって表示パネル３０を構成する。【００６０】
そして、フレキシブル基板３１の貼付面２７に対向する第１の面３１ａにＬＥＤ照明３６を実装する一方、貼付面２７には該第１の面３１ａに実装されたＬＥＤ照明３６を収容する、収容部及び反射部として機能する、凹部２８を設ける。【００６１】
この結果、フレキシブル基板３１の貼付面２７側にＬＥＤ照明３６を実装したにも関わらず、従来よりも厚みを薄く設定した表示パネル３０を凸曲面で構成された貼付面２７に貼り付け固定することができる。【００６２】
また、表示パネル３０の厚みを従来の凸曲面に貼り付けても平らな状態に戻ろうとする力が働いて剥がれてくる懸念のあった厚みが比較的厚い従来の表示パネルに比べて薄く設定してある。このため、表示パネル３０を凸曲面に対してより確実、且つ、容易に貼り付け固定することができる。【００６３】
また、表示パネル３０を構成するフレキシブル基板３１の厚みを薄く設定したことによって、フレキシブル基板３１の曲げ応力を大幅に減少している。この結果、凸曲面の貼付面２７に貼り付け固定した状態の表示パネル３０に常時働く該パネル３０を貼付面２７から剥離させようとする力が大幅に低減される。  
この結果、表示パネル３０は、貼付面２７に安定して貼付固定される。【００６４】
さらに、表示パネル３０の厚み寸法を薄く設定したことによって、温度差が大きく変化した際、或いは、湿度差が大きく変化した際の膨張或いは収縮の変形量が小さくなる。このため、温度変化或いは湿度変化によって、表示パネル３０が貼付面２７から剥離する不具合を防止することができる。【００６５】
なお、表示パネル３０の組付け順序は、上述した手順に限定されるものでは無い。つまり、フレキシブル基板３１の第１の面３１ａの両面テープを正面板２２の貼付面２７に貼り付け、その上で、印刷シート３２の一平面３２ａの両面テープを貼付面２７に貼付されたフレキシブル基板３１の第２の面３１ｂに貼り付けて、正面板２２に表示パネル３０を設けたＣＣＵ３を構成するようにしてもよい。【００６６】
また、上述した実施形態においては、フレキシブル基板３１及び印刷シート３２にそれぞれ、予め両面テープを設ける構成としている。しかし、フレキシブル基板３１及び印刷シート３２にそれぞれ予め定めた粘着力を有する糊面を設ける構成であってもよい。具体的に、フレキシブル基板３１の予め定めた位置に接着面を設ける構成、或いは、印刷シート３２の予め定めた位置に接着面を設ける構成でもよい。【００６７】
上述したＣＣＵ３において、制御部からの指示に基づいてＬＥＤ照明３６が点灯されると、図９の矢印Ｙ８Ａに示すようにＬＥＤ照明３６から凹部２８の底面２８ｄに向かって白色光が出射される。【００６８】
底面２８ｄに向かって出射された白色光は、底面２８ｄの白色の反射面で反射され、その後、直接、或いは、内周面２８ｓの白色の反射面で再び反射された後、フレキシブル基板３１のＬＥＤ照明３６が実装された部分及びその周囲に向かっていく。【００６９】
フレキシブル基板３１に向かった反射光は、矢印Ｙ８Ｂに示すように直接、或いは、矢印Ｙ８Ｃに示すようにＬＥＤ照明３６を回り込んでフレキシブル基板３１の第１の面３１ａに到達し、オレンジ色の該基板３１内に侵入する。【００７０】
フレキシブル基板３１内に侵入した反射光は、直接、或いは、ＬＥＤ用電気接点３１ｃに電気的に接続された配線３１ｌを回り込んでフレキシブル基板３１の第２の面３１ｂから出射される。【００７１】
第２の面３１ｂから出射された反射光、即ち、フレキシブル基板３１を透過したオレンジ色の透過光は、印刷シート３２の光透過部位３２ｅの一平面３２ａ側に設けられているフィルタ部３２ｆを通過して光透過部位３２ｅに向かう。オレンジ色の透過光は、フィルタ部３２ｆを通過することによって希望色に変化されて光透過部位３２ｅの他平面３２ｂから外部に向けて出射される。この結果、光透過部位３２ｅは、希望する色で発光する。【００７２】
なお、ＬＥＤ照明３６の光量を増加させることによって、光の回り込む量を増大させることが可能である。【００７３】
このように、ＬＥＤ照明３６から出射される白色光を該ＬＥＤ照明３６から予め定めた距離離間した凹部２８の反射面である底面２８ｄに向けて出射させる。この結果、光透過部位３２ｅは、ＬＥＤ照明３６から印刷シート３２に向けて直接出射される白色光によって発光するのではなく、底面２８ｄで反射された反射光及び内周面２８ｓで反射された反射光によって発光される。【００７４】
このため、本実施形態において、ＬＥＤ照明３６から印刷シート３２までの距離が長距離になる。この結果、光透過部位３２ｅの中央だけが明るくなって、中央から外径に向けて色のグラデーションが発生するホットスポット現象を防止することができる。
【００７５】
また、反射面である底面２８ｄと印刷シート３２との間に投影物と成り得るＬＥＤ照明３６及び配線３１ｌが配置されていることによって影が発生するおそれがある。しかし、この影が発生する問題は、凹部２８の底面２８ｄだけを反射面にすること無く、内周面２８ｓをも反射面すること、及び、反射面を拡散反射面として解決している。つまり、反射光をＬＥＤ照明３６、配線３１ｌに回り込ませて影の発生が防止している。加えて、ＬＥＤ照明３６の背面側に、両面テープの厚み分及びポリイミド膜３１ｐの厚み分の回り込みスペースが設けられている。【００７６】
この結果、反射光をＬＥＤ照明３６に回り込ませて図１０に示すように破線に示すＬＥＤ照明３６及び配線３１ｌが影となって光透過部位３２ｅの発光状態に悪影響を及ぼすことが防止される。【００７７】
上述したように、フレキシブル基板３１と印刷シート３２とで構成した表示パネル３０を、筐体２１の正面板２２に設けられた凸曲面の貼付面２７に貼付する。この結果、視認性に優れた表示パネル３０を設けた電気機器を安価に提供することができる。【００７８】
上述した実施形態においては、電気機器を内視鏡が接続されるＣＣＵとしている。しかし、電気機器は、ＣＣＵに限定されるものでは無く、ビデオ機器などの画像処理機器、パソコン等のコンピュータ、信号処理機器などの各種制御ボックス、無線信号処理機等の通信機器等、筺体を持って構成されて電気エネルギ、または、電気信号により動作する電気機器である。【００７９】
尚、本発明は、以上述べた実施形態のみに限定されるものではなく、発明の要旨を逸脱しない範囲で種々変形実施可能である。【００８０】
本出願は、２０１４年３月２７日に日本国に出願された特願２０１４−０６６５９１号を優先権主張の基礎として出願するものであり、上記の開示内容は、本願明細書、請求の範囲、図面に引用されたものとする。
【図１】
0005993523.tif 000002
【図２】
0005993523.tif 000003
【図３】
0005993523.tif 000004
【図４】
0005993523.tif 000005
【図５Ａ】
0005993523.tif 000006
【図５Ｂ】
0005993523.tif 000007
【図５Ｃ】
0005993523.tif 000008
【図６】
0005993523.tif 000009
【図７】
0005993523.tif 000010
【図８】
0005993523.tif 000011
【図９】
0005993523.tif 000012
【図１０】
0005993523.tif 000013